(57)【特許請求の範囲】
【請求項１】
便鉢部の上側で倒伏状態と起立状態とに回動可能な便座であり、
前記起立状態において、前記便座の開口よりも下方に位置する部分の裏面に、後方に向かって下がる傾斜をなす傾斜部が設けられ、
前記傾斜部に、横方向に連続して段差部が設けられ、
前記便座の起立状態において、前記傾斜部のうち前記段差部よりも上側に位置する部分が、前記段差部よりも下側に位置する部分に比べて前側にずれている便座。
【請求項２】
前記段差部が、少なくとも前記便鉢部の上端開口の幅以上の範囲に形成されている請求項１に記載の便座。
【請求項３】
前記段差部が、前記起立状態では前記便鉢部の上に位置する請求項１または請求項２に記載の便座。
【発明の詳細な説明】
【技術分野】
【０００１】
本発明は、便座に関する。
【背景技術】
【０００２】
従来、便鉢部の上側で倒伏状態と起立状態とに回動可能な便座が備えられた便器装置が知られている。例えば下記特許文献１に記載の便器装置は、センサが人体を検知すると便座が起立回動し、センサが人体を検知しなくなると便座が倒伏回動するようになっている。
【先行技術文献】
【特許文献】
【０００３】
【特許文献１】特開２００２−１１９４４２号公報
【発明の概要】
【発明が解決しようとする課題】
【０００４】
ところで、便座の裏面には、尿や、臀部を洗浄した洗浄水等の飛沫が付着しやすい。便座の裏面に付着した飛沫は、便座の起立時に裏面を伝って降り、ヒンジ等に浸入する可能性があるため対策が望まれていた。
【０００５】
本発明は上記のような事情に基づいて完成されたものであって、裏面に付着した飛沫がヒンジ部等に入り込むことを防ぐことが可能な便座を提供することを目的とする。
【課題を解決するための手段】
【０００６】
本発明の便座は、便鉢部の上側で倒伏状態と起立状態とに回動可能な便座であり、前記起立状態において、前記便座の開口よりも下方に位置する部分の裏面に、後方に向かって下がる傾斜をなす傾斜部が設けられ、前記傾斜部に、横方向に連続して段差部が設けられ、前記便座の起立状態において、前記傾斜部のうち前記段差部よりも上側に位置する部分が、前記段差部よりも下側に位置する部分に比べて前側にずれているものである。
【発明の効果】
【０００７】
本発明によれば、便座の起立時に裏面を伝って降りた飛沫が、段差部で切れて落下するから、裏面に付着した飛沫がヒンジ部等に入り込むことを防止することができる。
また、本発明の便座は、前記段差部が、前記起立状態において後方に向かって下がる傾斜をなす傾斜部に設けられている。このような構成によれば、便座の起立時に裏面を伝って降りた飛沫がより落下しやすくなるから、裏面に付着した飛沫がヒンジ部等に入り込むことをより確実に防止することができる。
【図面の簡単な説明】
【０００８】
【図１】本実施例における便座であって、便器本体に取り付けられた状態を示す斜視図
【図２】便器本体に取り付けられた状態の便座を示す側面図
【図３】便器装置の後面側を示す斜視図
【図４】便座の裏面を示す正面図
【図５】便器本体に取り付けられた状態の起立時の便座を示す正面図
【図６】便器本体に取り付けられた状態の起立時の便座を示す断面図
【図７】段差部を示す図６の一部拡大断面図
【発明を実施するための形態】
【０００９】
本発明の好ましい形態を以下に示す。
本発明の便座は、前記段差部が、少なくとも前記便鉢部の上端開口の幅以上の範囲に形成されているものとしてもよい。このような構成によれば、段差部が、最も飛沫が付着しやすい部分に対応しているから、裏面に付着した飛沫がヒンジ部等に入り込むことを効果的に防止することができる。
【００１１】
また、前記段差部が、前記起立状態では前記便鉢部の上に位置するものとしてもよい。このような構成によれば、段差部に到達した飛沫は、便鉢部に落下するから、飛沫の拭き取り作業をしなくてもよい。
【００１２】
＜実施例＞
以下、本発明を具体化した一実施例について、図１〜図７を参照しつつ詳細に説明する。
本実施例における便座１０は、便器本体１に固定される便器装置２に回動可能に備えられている。便器本体１は便鉢部３を有し、便座１０は、便鉢部３の上面で倒伏状態と起立状態に回動可能とされている。なお、便座１０の前後方向および左右方向は、特に記載しない場合には、倒伏時を基準として説明する。
【００１３】
便器装置２は、洗浄タンク３０と、洗浄タンク３０に固定される背もたれ部材３１とを備えている。洗浄タンク３０は、便器洗浄水を貯留するタンク３２と、タンク３２の周囲を覆うタンクカバー３３とを備えている。タンク３２は、合成樹脂製のベースプレート３４に載置されている。ベースプレート３４には、便器装置２を便器本体１に取り付けるための取付ボルト３５が複数本、下面から下方に突出して備えられている。
【００１４】
タンクカバー３３は、合成樹脂製であって、タンク３２の左右両側および後側を覆う周壁３６を有し、前面側には壁部材３７によって開閉される開口部（以後、前面開口部３８と称する）と、前面開口部３８よりも下側の部分を覆う前壁３９とを備えている。前壁３９は、便座１０の倒伏時には便座１０によって隠され（図２参照）、便座１０の起立時には前方へ露出される（図６参照）。前壁３９は、前方へ向かって次第に下がる傾斜をなして前方へ突出している。
【００１５】
前面開口部３８は、タンクカバー３３の前面の略全幅にわたって形成されている。前面開口部３８の周縁部には、壁部材３７を取り付けるための取付ねじ４１が螺合するねじ孔が複数設けられている。
【００１６】
また、タンクカバー３３の上面側には、蓋部材４３によって開閉される開口部（以後、上面開口部４４と称する）が設けられている。タンクカバー３３に蓋部材４３を取り付けた状態では、タンクカバー３３の上面は、前端から後端に向かって次第に下がる傾斜面となる。
【００１７】
壁部材３７は、合成樹脂製であって、前面開口部３８の全体を覆うことが可能な略方形の薄板状をなしている。壁部材３７は、上下方向における中心よりも若干下側寄りの位置を境にして、上側（以後、壁部材上部３７Ａと称する）と下側（以後、壁部材下部３７Ｂと称する）とで勾配が異なるものとされている。そして、壁部材３７がタンクカバー３３に取り付けられた状態では、図６に示すように、壁部材下部３７Ｂはほぼ垂直に立って配され、壁部材上部３７Ａは後ろ上がりに傾斜した姿勢になる。また、壁部材下部３７Ｂの下端部は、便座１０の後側に入り込んだ状態になり、便座１０の起立時および倒伏時のいずれにおいても便座１０によって隠される。
【００１８】
壁部材３７は、図６に示すように、複数の取付ねじ４１によってタンクカバー３３およびタンクカバー３３内に配されたフレーム４５に固定される。フレーム４５には、取付ねじ４１が螺合するねじ孔が複数設けられている。
【００１９】
フレーム４５は、便器本体１に固定されるものである。フレーム４５は、金属製であって、便器本体１の後部上面に載置される載置面部４６と、載置面部４６の左右両端部から上方に立ち上がる左右一対の縦フレーム４７と、左右一対の縦フレーム４７の間に掛け渡された上下一対の横フレーム４８とを備えている。
【００２０】
載置面部４６は板状をなし、その上面にベースプレート３４が重ねられる。また、載置面部４６には、ベースプレート３４に備えられた取付ボルト３５が下方へ貫通可能な貫通孔（図示せず）が形成されている。載置面部４６を貫通した取付ボルト３５は、便器本体１の後部上面に設けられた固定孔（図示せず）にそれぞれ挿通され、下方からナットが締め付けられる。これにより、便器装置２が便器本体１に固定される。
【００２１】
左右一対の縦フレーム４７は、載置面部４６の左右両端部に接合されている。一対の縦フレーム４７は、便器装置２が便器本体１に固定された状態では、便器本体１の幅方向における両端部に配される。
【００２２】
横フレーム４８は、縦フレーム４７の上端部と中間部とに連結されている。中間部に連結された横フレーム４８の左右方向における両端部には、便座１０を回動自在に軸支する回動装置が固定される垂下片４９が垂下されている。
【００２３】
背もたれ部材３１は、係止部４２によって壁部材３７に引っ掛けられるとともに固定ねじ４２Ａによって壁部材３７にネジ止めされて、壁部材３７の前面側に固定される。背もたれ部材３１は、弾性材料によって所定の厚さ寸法を有する略方形の厚板状に形成され、クッション性を有するものとされている。背もたれ部材３１は、正面から見ると壁部材３７よりも若干大きい幅寸法を備えた横方向に長い長方形状をなし、その下端は、便座１０の上面に近接して配される。
【００２４】
背もたれ部材３１は、タンクカバー３３の前面の略全体を覆うことが可能とされている。背もたれ部材３１は、壁部材３７同様、上下方向における中心よりも若干下側寄りの位置を境にして、上側（以後、背もたれ上部３１Ａと称する）と下側（以後、背もたれ下部３１Ｂと称する）とで勾配が異なるものとされている。そして、背もたれ部材３１が壁部材３７に取り付けられた状態では、背もたれ下部３１Ｂは壁部材下部３７Ｂの上側部分に沿って配され、背もたれ上部３１Ａは壁部材上部３７Ａの略全体に沿って配される。
【００２５】
背もたれ部材３１は、タンクカバー３３の上面に被さる上面被覆部５１と、壁部材３７の側縁に被さる側面被覆部５２とを備えている。上面被覆部５１は、図６に示すように、上面開口部４４までは被さらないものとされ、背もたれ部材３１を取り外さなくても蓋部材４３の取り付けおよび取り外しが可能となっている。また、側面被覆部５２によって、肘掛部５３の根元部分が隠され、正面側からは見えないようになっている。
【００２６】
便座１０は、全体として前後方向に若干長い方形状をなし、中央部には、前後方向に長い略長円形状の開口１１が形成されている。便座１０の後端部は、便座１０の倒伏状態における上方に立ち上がった形状をなしている（図２参照）。
【００２７】
便座１０は、図６に示すように、表部材１２および裏部材１３を有し、表部材１２と裏部材１３との間には空洞部が形成されている。表部材１２の内面には、通電により発熱する図示しないニクロム線とアルミシートからなる発熱体が貼着されている。また、裏部材１３には、便座１０の倒伏時に便鉢部３の上面に当接可能な脚部１４が設けられている。
【００２８】
便座１０の後端部には、便座１０を回動可能に連結するヒンジ部１５が設けられている。ヒンジ部１５は、便座１０を回動自在に軸支する回動装置を構成している。ヒンジ部１５は、便座１０の後端部の左右方向における両端部に備えられている。ヒンジ部１５は、便座１０の後端部に形成された収容凹部に収容されている。ヒンジ部１５は、収容凹部の開口に嵌め込まれたキャップ１７によって覆われている。
【００２９】
便座１０の後端部（起立状態で開口１１よりも下方に位置する部分）の裏面（裏部材１３）には、便座１０の起立状態では、後方に向かって下がる傾斜をなす傾斜部１８が設けられている（図６参照）。傾斜部１８は、タンクカバー３３の前壁３９と同等の勾配をなし、便座１０の倒伏時には、前壁３９に沿って前壁３９と略平行に配される。傾斜部１８は、便座１０の幅方向における略全体にわたり形成されている。なお、傾斜部１８の幅方向における両端部には、便座１０を側面視したときに、傾斜部１８が見えないように突出する突出縁部１９が設けられている（図５および図６参照）。
【００３０】
傾斜部１８には、横方向（若干斜めでも良い）に連続して段差部２０が設けられている（図４参照）。段差部２０は、正面側から見ると、左右対称な形状をなし、少なくとも中央付近（開口１１中央と同じ幅）に形成されていればよく、好ましくは、便座１０の左右方向におけるほぼ全体にわたって形成することが望ましい。本実施例では、段差部２０の左右方向における両端部は、突出縁部１９に達している。段差部２０は、起立した状態で、便鉢部３の上方に位置する。
【００３１】
段差部２０の左右方向における中央部は、開口１１の周縁に対して略平行をなすように湾曲した湾曲部２１とされている。湾曲部２１は、左右方向における中央部が両端部よりも、便座１０の起立状態において下側に位置するように湾曲している。便座１０の起立状態における湾曲部２１の最下点は、傾斜部１８の上下方向における略中央部に位置している。また、便器装置２が便器本体１に取り付けられた状態では、湾曲部２１の全体が、便鉢部３の真上に配される。
【００３２】
段差部２０の左右方向における両端部は、便座１０の起立状態でキャップ１７の上縁に対して略平行をなすように延びた延長部２２とされている。延長部２２は、便座１０の起立状態では、便座１０の端側から湾曲部２１に向かって緩やかに下がる傾斜をなしている。延長部２２は、便座１０の開口１１の下で、キャップ１７の上方に位置する。
【００３３】
段差部２０は、図７に示すように、便座１０の起立状態において前後方向に一段ずれた形状をなしている。すなわち便座１０の起立状態において段差部２０よりも上側に位置する部分（以後、上部２３と称する）が、同下側に位置する部分（以後、下部２４と称する）よりも前側に一段ずれている。段差部２０は、上部２３と下部２４との間において、便座１０の起立時に、略水平（水平もしくは水平よりも鋭角を形成すれば良い）をなして配される。段差部２０は、左右方向の全体において概ね同じ断面形状とされている。
【００３４】
次に、便座１０の裏面に付着した飛沫の落下について説明する。
尿や、臀部を洗浄した洗浄水等の飛沫は、特に、図５の斜線で示した範囲（便鉢部３の上端開口に対応する範囲）に付着しやすい。言い換えると、洗浄水等の飛沫は、便座１０の裏面のうち便器本体１や前壁３９と対向しない（重ならない）部分に付着しやすい。便座１０の裏面に付着した飛沫は、便座１０の起立に伴って便座１０の裏面を伝って降り、傾斜部１８に到達する。傾斜部１８に到達した飛沫は、自重によって傾斜部１８から離れて落下するものもある。また、傾斜部１８を伝って段差部２０に到達した飛沫は、図７の矢印で示すように、自重によって段差部２０から離れて便鉢部３に落下する。このように、飛沫は、便座１０の後端部に到達することなく便鉢部３に落下するから、飛沫の拭き取り作業をしなくてもよい。
【００３５】
次に、上記のように構成された実施例の作用および効果について説明する。
本実施例における便座１０は、便鉢部３の上側で倒伏状態と起立状態とに回動可能であり、起立状態において、開口１１よりも下方に位置する部分の裏面に、横方向に連続して段差部２０が設けられているものである。この構成によれば、便座１０の起立時に裏面を伝って降りた飛沫が、段差部２０で切れて落下するから、裏面に付着した飛沫がヒンジ部１５等に入り込むことを防止することができる。
【００３６】
また、段差部２０が、少なくとも便鉢部３の上端開口の幅以上の範囲に形成されている。この構成によれば、段差部２０が、最も飛沫が付着しやすい部分に対応しているから、裏面に付着した飛沫がヒンジ部１５等に入り込むことを効果的に防止することができる。
【００３７】
また、段差部２０は、起立状態では、後方に向かって下がる傾斜をなす傾斜部１８に設けられている。この構成によれば、便座１０の起立時に裏面を伝って降りた飛沫がより落下しやすくなるから、裏面に付着した飛沫がヒンジ部１５等に入り込むことをより確実に防止することができる。
【００３８】
＜他の実施例＞
本発明は上記記述及び図面によって説明した実施例に限定されるものではなく、例えば次のような実施例も本発明の技術的範囲に含まれる。
（１）上記実施例では、段差部２０が、湾曲部２１と延長部２２とを備えているが、これに限らず、段差部２０の形状は任意に変更することができ、例えば段差部は、便座の起立時において全体が略水平方向に延びる形状としてもよい。
（２）上記実施例では、段差部２０が便座１０のほぼ全幅にわたって設けられているが、これに限らず、段差部は、例えば便座の幅方向における中央部のみに形成してもよく、また横でなくても多少斜めでも良い。
（３）上記実施例では、段差部２０が、前後方向に一段ずれた形状とされているが、これに限らず、段差部は、例えば便座の裏面に突設されたリブや、凹設された溝部等であってもよい。
【符号の説明】
【００３９】
３…便鉢部
１０…便座
１１…開口
１８…傾斜部
２０…段差部
【図１】
0006509068.tif 000002
【図２】
0006509068.tif 000003
【図３】
0006509068.tif 000004
【図４】
0006509068.tif 000005
【図５】
0006509068.tif 000006
【図６】
0006509068.tif 000007
【図７】
0006509068.tif 000008